(57)【要約】      （修正有）【課題】使用時には、陳列アタッチメントを本体に取付けて商品を陳列でき、また、不使用時には、陳列アタッチメントを本体から取り外すことで、比較的小さなスペースに収納することができる商品陳列具を提供する。【解決手段】商品陳列具Ａは、本体１と陳列アタッチメント２を備え、本体は一対の支柱１１と一対の支柱１１の間に架設される１以上の被掛止部１２とを有する。また陳列アタッチメントは、商品Ｂを陳列する陳列部２２と陳列部２２に設けられ且つ本体の被掛止部に掛脱可能な掛止部２１とを有する。【選択図】図１
0003188943.tif 000002
【実用新案登録請求の範囲】
【請求項１】
一対の支柱と前記一対の支柱の間に架設される１以上の被掛止部とを有する本体と、
商品を陳列する陳列部と前記陳列部に設けられ且つ前記被掛止部に掛脱可能な掛止部とを有する陳列アタッチメントと、を備える商品陳列具。
【請求項２】
前記陳列アタッチメントの掛止部が、前止め部と、前記前止め部に対して間隔を開けて対向配置された後止め部と、前記前止め部の上部と前記後止め部の上部を接続する接続部と、を有し、
前記陳列アタッチメントが前記本体に掛止されている状態において、前記後止め部が前記被掛止部の後側上部に接し且つ前記前止め部が前記被掛止部の前側下部に接している、請求項１に記載の商品陳列具。
【請求項３】
前記本体を立てて支持する支持脚を更に備え、
前記支持脚は３以上の接地部を有する、請求項１又は請求項２に記載の商品陳列具。
【請求項４】
フック部と前記フック部の下方に設けられ且つ前記本体に着脱可能な取付部とを有するハンガーを更に備える、請求項１乃至３の何れか一項に記載の商品陳列具。
【考案の詳細な説明】
【技術分野】
【０００１】
本考案は、商品を陳列するための陳列具に関する。
【背景技術】
【０００２】
従来、店舗等において商品を陳列する際、商品陳列具が使用されている。例えば、前記商品陳列具として、天板、後方板及び底板から構成される断面コ字状の樹脂製の陳列ケース本体と、陳列ケース本体の内側空間に左右方向移動自在に嵌合された第２支持体と、を備える商品陳列具が知られている（特許文献１）。
前記従来の商品陳列具は、天板が第２支持体に支持されているため、重量が大きい商品も天板に載置できる。
【０００３】
ところで、商品陳列具は、その使用時には、商品を載置して陳列でき、その不使用時には、コンパクトに収納できることが望ましい。
しかしながら、前記従来の陳列ケース本体は、天板、後方板及び底板が断面コ字状を成しているため、その不使用時に、天板と底板との間の内側空間が無駄なスペースとなり、コンパクトに収納できないという問題がある。
【先行技術文献】
【特許文献】
【０００４】
【特許文献１】特開２００４−２８３４５３号公報
【考案の概要】
【考案が解決しようとする課題】
【０００５】
本考案は、このような事情に鑑みてなされたものであって、使用時には、陳列アタッチメントを本体に取付けて商品を陳列でき、また、不使用時には、陳列アタッチメントを本体から取り外すことで、比較的小さなスペースに収納することができる商品陳列具を提供することを課題とする。
【課題を解決するための手段】
【０００６】
前記課題を解決すべく、本考案は、一対の支柱と前記一対の支柱の間に架設される１以上の被掛止部とを有する本体と、商品を陳列する陳列部と陳列部に設けられ且つ被掛止部に掛脱可能な掛止部とを有する陳列アタッチメントと、を備える商品陳列具を提供する。
【０００７】
前記商品陳列具は、使用時には、陳列アタッチメントを本体に掛止して、陳列部に商品を陳列することができる。また、前記商品陳列具の不使用時には、陳列アタッチメントを本体から取り外すことにより、比較的小さなスペース内に商品陳列具を収納することができる。
【０００８】
本考案の好ましい商品陳列具は、前記陳列アタッチメントの掛止部が、前止め部と、前記前止め部に対して間隔を開けて対向配置された後止め部と、前止め部の上部と後止め部の上部を接続する接続部とを有し、陳列アタッチメントが本体に掛止られている状態において、後止め部が被掛止部の後側上部に接し且つ前止め部が被掛止部の前側下部に接する。
【０００９】
好ましくは、前記本体を立てて支持する支持脚を更に備え、前記支持脚は、３以上の接地部を有する。
【００１０】
更に好ましくは、フック部とフック部の下方に設けられ且つ本体に着脱可能な取付部とを有するハンガーが備えられる。
【考案の効果】
【００１１】
本考案の商品陳列具は、本体に陳列アタッチメントが掛脱可能であるため、使用時には陳列アタッチメントを本体に掛止して商品を陳列でき、不使用時には、それを外すことにより、比較的小さなスペース内に収納することができる。
【図面の簡単な説明】
【００１２】
【図１】第１実施形態に係る立置型の商品陳列具の斜視図。商品を仮想線（二点鎖線）で示している。
【図２】第１実施形態に係る支持脚を備えた本体の正面図。
【図３】同本体の側面図。
【図４】同本体の平面図。
【図５】第１実施形態に係る陳列アタッチメントの正面図。
【図６】同陳列アタッチメントの側面図。
【図７】同陳列アタッチメントの平面図。
【図８】図１のＶＩＩＩ−ＶＩＩＩ線で切断した断面図。
【図９】第２実施形態に係る吊下げ型の商品陳列具の斜視図。
【図１０】第２実施形態に係るハンガーの正面図。
【図１１】同ハンガーの側面図。
【図１２】同ハンガーの平面図。
【図１３】第３実施形態に係る立て掛け型の商品陳列具の斜視図。
【図１４】第４実施形態に係る本体の斜視図。
【図１５】第４実施形態に係る商品陳列具の斜視図。
【図１６】同商品陳列具の他の使用例を示す斜視図。
【図１７】同商品陳列具を複数連結した場合の一例を示す斜視図。
【図１８】同商品陳列具を複数連結した場合の他の例を示す斜視図。
【考案を実施するための形態】
【００１３】
以下、本考案の各実施形態について、図面を参照しつつ説明する。
なお、方向性を示す用語として、前後、左右及び上下を使用するが、これらは、陳列アタッチメントを本体に掛止した商品陳列具を水平面に自立させた状態（及び、吊下げた状態、立て掛けた状態）を基準にして、その正面（図２など）から見た方向性をいう。前記正面は、陳列アタッチメントが本体から突出する側である。
【００１４】
[第１実施形態]
図１は、第１実施形態に係る商品陳列具Ａの斜視図である。本実施形態の商品陳列具Ａは、本体１と陳列アタッチメント２と支持脚３とを備える。本実施形態の商品陳列具Ａは、自立可能な、立置型の陳列具である。
【００１５】
＜本体＞
図１乃至図４において、本体１は、一対の支柱１１，１１と、一対の支柱１１，１１の間に架設される１以上の被掛止部１２と、を有する。
一対の支柱１１，１１の形状は、特に限定されず、正面（前方）から見て直線状、曲線状、折線状などでもよい。本実施形態においては、図２に示すように、一対の支柱１１，１１は、直線状に形成されている。
一対の支柱１１，１１の配置は、特に限定されず、正面から見て平行に配置されていてもよいし、又は非平行に配置されていてもよい。一対の支柱１１，１１は、その間に被掛止部１２を架設できるように配置されていればよい。本実施形態においては、図２に示すように、前方から見て、一対の支柱１１，１１は、互いに上方に向かうに従い両支柱間の間隔が大きくなるような、非平行に配置されている。
一対の支柱１１，１１は、商品陳列具Ａの主となる部分である。本実施形態の一対の支柱１１，１１は、支持脚３に立設されて自立可能であり、被掛止部１２を介して、陳列アタッチメント２及び商品Ｂの重量を支える。
【００１６】
本体１は、１以上の被掛止部１２を有する。本実施形態の本体１は、図２に示すように、２つの掛止部１２を有する。第１の掛止部１２は、一対の支柱１１，１１の上部に架設され、第２の被掛止部１２は、一対の支柱１１，１１の上下方向中途部に架設されている。
被掛止部１２の形状は、特に限定されず、正面から見て直線状、曲線状、折線状などでもよい。被掛止部１２は、陳列アタッチメント２の掛止部２１が掛けられる部分を結んだ線が左右方向と平行になるような掛止平行部を有していることが好ましい。図示例では、被掛止部１２は、左右方向に延びる直線状であり、かかる被掛止部１２は、その全体が掛止平行部となっている態様である。
被掛止部１２及び支柱１１の断面形状は、特に限定されず、それぞれ独立して、多角形状、楕円形状、円形状などでもよい。本実施形態においては、図２乃至図４及び図８に示すように、被掛止部１２及び支柱１１の断面形状は、長方形である。すなわち、被掛止部１２及び支柱１１は、それぞれ帯状部材から形成されている。この帯状部材の一面（端面でない大面積な平面）を前方にし、帯状部材の他面（前記一面とは反対側の面）を後方に向けた状態で、被掛止部１２及び支柱１１が構成されている。
【００１７】
被掛止部１２と支柱１１は、一体的に形成されていてもよいし、或いは、別体で形成され且つ接続されていてもよい。両者が別体で形成される場合、被掛止部１２を一対の支柱１１，１１に接続する手段は、特に限定されず、締結具、接着剤、溶着などが挙げられる。本実施形態においては、図２乃至図４に示すように、一対の支柱１１，１１と被掛止部１２は、帯状部材を湾曲させて一体的に形成されている。
【００１８】
＜支持脚＞
本実施形態の商品陳列具Ａは、３以上の接地部を有する支持脚３を更に備えている。この支持脚３は、支柱１１，１１に連設された一対の連設部３１，３１と、前記連設部３１，３１の端部に設けられ且つ商品が陳列される脚陳列部３２と、を有する。
前記連設部３１の形状は、特に限定されず、図示例では、側面から見て下方に膨らむ湾曲状に形成されている。
前記脚陳列部３２の構造は、商品を載置できる構造であれば特に限定されず、棚板、網板、線材を適宜な形状にした受け構造などが挙げられる。本実施形態においては、図２乃至図４に示すように、脚陳列部３２は、線材を適宜な形状に形成した受け構造とされている。具体的には、脚陳列部３２は、帯状部材などの線材から構成され、前後方向に延び且つ所要間隔を開けて配置された一対の脚載置部３２ａ，３２ａと、この脚載置部３２ａ，３２ａの各前端に連設され且つ上下方向に延びる一対の脚落下止め部３２ｂ，３２ｂと、前記脚落下止め部３２ｂ，３２ｂの上端に連設された脚間隔保持部３２ｃと、を有する。
かかる脚陳列部３２は、脚載置部３２ａの上に鞄などの商品を陳列できる。また、脚載置部３２ａの前端に上下方向に延びる脚落下止め部３２ｂが設けられているので、脚載置部３２ａに載せた商品がそこから不用意に落下することを防止できる。
なお、支持脚３の接地部は、一対の連設部３２，３２の各下面と、前記一対の脚載置部３２ａ，３２ａの各下面と、からなる。つまり、支持脚３を水平な設置面に置いた際、一対の連設部３２，３２の最下端と一対の脚載置部３２ａ，３２ａの最下端とが設置面に接地し、これら４つの下端が接地部を構成している。
なお、前記接地部は、４つに限られず、支持脚３は、少なくとも３つの接地部（少なくとも３つの接地部は直線上に位置しない）で接地するように構成されていればよい。
【００１９】
支持脚３と支柱１１は、一体的に形成されていてもよいし、或いは、別体で形成され且つ接続されていてもよい。両者が別体で形成される場合、支持脚３を一対の支柱１１，１１に接続する手段は、特に限定されず、締結具、接着剤、溶着などが挙げられる。本実施形態においては、図２乃至図４に示すように、一対の支柱１１，１１と支持脚３は、帯状部材を湾曲させて一体的に形成されている。
【００２０】
＜陳列アタッチメント＞
陳列アタッチメント２は、図１、図５乃至図７に示すように、商品が陳列される陳列部２２と、前記陳列部２２の端部に設けられ且つ前記被掛止部１２に掛脱可能な掛止部２１と、を有する。
前記陳列部２２の構造は、商品を載置できる構造であれば特に限定されず、棚板、網板、線材を適宜な形状にした受け構造などが挙げられる。本実施形態においては、図５乃至図７に示すように、陳列部２２は、線材を適宜な形状に形成した受け構造とされている。具体的には、陳列部２２は、帯状部材などの線材から構成され、前後方向に延び且つ所要間隔を開けて配置された一対の載置部２２ａ，２２ａと、この載置部２２ａ，２２ａの各前端に連設され且つ上下方向に延びる一対の落下止め部２２ｂ，２２ｂと、前記止め部２２ｂ，２２ｂの上端に連設された間隔保持部２２ｃと、を有する。
かかる陳列部２２は、載置部２２ａの上に鞄などの商品を陳列できる。また、載置部２２ａの前端に上下方向に延びる落下止め部２２ｂが設けられているので、載置部２２ａに載せた商品がそこから不用意に落下することを防止できる。
【００２１】
前記掛止部２１は、本体１の被掛止部１２に掛止でき且つ外すことができる構造であれば特に限定されない。本実施形態では、掛止部２１は、図８に示すように、下側が開口した形状（例えば逆Ｕ字状）に形成されている。具体的には、掛止部２１は、前止め部２１ａと、前止め部２１ａに対して間隔を開けて対向配置された後止め部２１ｂと、前止め部２１ａの上部と後止め部２１ｂの上部とを接続する接続部２１ｃと、を有する。かかる前止め部２１ａは、陳列アタッチメント２を本体１の被係止部１２に掛止した際の自重により、被掛止部１２の前側下部に接し、後止め部２１ｂは、被掛止部１２の後側上部に接する。このように、掛止部２１の各部２１ａ，２１ｂが、被掛止部１２の前後において上下位置ずれして当たることにより、陳列部２２に載せた商品を安定的に支持できる。
【００２２】
陳列部２２と掛止部２１は、一体的に形成されていてもよいし、或いは、別体で形成され且つ接続されていてもよい。両者が別体で形成される場合、陳列部２２と掛止部２１を取付ける手段は、特に限定されず、締結具、接着剤、溶着などが挙げられる。本実施形態においては、図５乃至図７に示すように、陳列部２２と掛止部２１は、帯状部材を湾曲させて一体的に形成されている。
なお、前記本体、支持脚及び陳列アタッチメントの形成材料は、特に限定されず、それぞれ独立して、金属、硬質合成樹脂、木などが挙げられる。
【００２３】
本考案の商品陳列具Ａを使用する際には、陳列アタッチメント２の掛止部２１を本体１の第２の被係止部１２に掛止することにより、陳列部２２を前方に突出させることができる。この陳列部２２に商品Ｂを載置することにより、商品陳列具Ａを用いて商品Ｂを陳列することができる。
また、陳列アタッチメント２は本体１に対して掛脱可能であるので、第２の被係止部１２に取り付けた陳列アタッチメント２を取り外し、第１の被係止部１２に取り付けることもできる。また、２つ以上の陳列アタッチメント２を準備することにより、本体１の複数箇所に陳列部２２を設けることもできる。このように陳列アタッチメント２の位置換え又は陳列アタッチメント２の数を適宜設定することにより、商品Ｂを様々な態様で陳列できる。
商品Ｂとしては、特に限定されず、商品陳列具Ａには、鞄、服などの被服類、食料品、化粧品、小物などの様々な商品を陳列できる。
【００２４】
また、商品を陳列せず、商品陳列具Ａを使用しないときには、陳列アタッチメント２を本体１から取り外すことにより、比較的小さなスペース内に商品陳列具Ａを収納することができる。具体的には、陳列アタッチメント２を本体１から取り外すと、本体１の上下方向中途部において前方に突出する部分が無くなるので、本体１と陳列アタッチメント２を別々に収納できる。本体１と陳列アタッチメント２を別個に収納すると、無駄な収納スペースが生じずなく、従って、比較的小さなスペースに商品陳列具Ａを収納できる。
【００２５】
[第２実施形態]
図９は、本考案の第２実施形態に係る商品陳列具Ａを示す斜視図である。本実施形態の商品陳列具Ａは、本体１と陳列アタッチメント２と支持脚３とハンガー４とを有する。本実施形態の商品陳列具Ａは、壁や天井などの突起部や掛具などに吊して商品の陳列を行う、吊下げ型の商品陳列具Ａである。
第２実施形態の説明に於いて、主として前記実施形態と異なる構成及び効果について説明し、上記第１実施形態と同様の構成などについては、その説明を省略し、用語及び符号を援用する。
【００２６】
＜ハンガー＞
ハンガー４は、図１０乃至図１２に示すように、フック部４１と、フック部４１の下方に設けられ且つ本体１に着脱可能な取付部４２と、を有する。
フック部４１の形状は、特に限定されず、鉤状、紐状、板を逆Ｕ字状に曲げた形状などが挙げられる。図示例では、フック部４１は、鉤状であり、壁や天井などに設けられた掛具等に掛けることができる。
取付部４２の形態は、特に限定されず、板状のもの、複数の鉤状の部材を並べたもの、紐状のものなどを用いることができる。図示例では、取付部４２は、板状の部材をＵ字状に形成したものが用いられている。
フック部４１は、取付部４２に自転可能（自転可能は、上方から見てフック部が軸周りに回動可能である）に取り付けられている。もっとも、フック部４１は、取付部４２に固定的に取り付けられていてもよい。
【００２７】
本実施形態の商品陳列具Ａは、図９に示すように、壁（又は天井）の突起部にハンガー４のフック部４１を掛け且つハンガー４の取付部４２に本体１の被掛止部１２を取り付けることにより、壁（又は天井）に吊り下げることができる。
【００２８】
[第３実施形態]
図１３は、本考案の第３実施形態に係る商品陳列具Ａを示す斜視図である。本実施形態の商品陳列具Ａは、本体１と陳列アタッチメント２とを有する。本実施形態の商品陳列具Ａは、壁などに立て掛けて商品の陳列を行う、立て掛け型の商品陳列具Ａである。
第３実施形態の説明に於いて、主として前記実施形態と異なる構成及び効果について説明し、上記第１実施形態と同様の構成などについては、その説明を省略し、用語及び符号を援用する。
【００２９】
本実施形態の商品陳列具Ａの本体１は、一対の支柱１１，１１の間に、３つ以上の被掛止部１２が架設されている。図示例では、支柱１１，１１の間に、上下に所要間隔を開けて８つの被掛止部１２が設けられている。また、陳列アタッチメント２も複数（図示例では、８つ）具備されている。また、被掛止部１２の左右方向の長さは、特に限定されないが、本実施形態では、１つの被掛止部１２に複数の陳列アタッチメント２を掛止できる長さとされている。
本体１は、第１実施形態のように支持脚を設けて自立させてもよいし、或いは、第２実施形態のようにハンガーを用いて吊り下げてもよいし、或いは、壁に支柱１１を木ねじなどで着脱可能に取り付けてもよいし、或いは、図１３に示すように、支柱１１，１１を床面から壁に立て掛けるように設置してもよい。
【００３０】
本実施形態の商品陳列具Ａは、上下方向及び左右方向の任意の箇所に１つ又は２つ以上の陳列アタッチメント２を掛止できるので、バリエーション豊かな商品陳列を行うことができる。例えば、鞄などの商品の大きさに応じて、上下方向に多段状に複数のアタッチメント２を取り付けることができる。
また、不使用時には、陳列アタッチメント２を本体１から取り外すことにより、比較的小さなスペース内に商品陳列具Ａを収納することができる。
【００３１】
[第４実施形態]
図１４は、本考案の第４実施形態に係る本体１の斜視図であり、図１５は、第４実施形態の商品陳列具Ａの斜視図である。本実施形態の商品陳列具Ａは、本体１と陳列アタッチメント２とを有する。本実施形態の商品陳列具Ａは、壁などに立て掛けて陳列を行う立て掛け型又は壁などに吊して商品の陳列を行う吊下げ型の商品陳列具Ａである。
第４実施形態の説明に於いて、主として前記実施形態と異なる構成及び効果について説明し、上記第１実施形態と同様の構成などについては、その説明を省略し、用語及び符号を援用する。
【００３２】
図１４において、本体１は、一対の支柱１１，１１と、一対の支柱１１，１１の間に架設された複数（５つ）の被掛止部１２と、を有する。複数の被掛止部１２は、支柱１１の上下方向に略平行に且つ多段状に設けられている。なお、最上段の被掛止部１２は、折線状の非直線状であり（ただし、掛止平行部を有する）、その他の被掛止部１２は、直線状である。なお、本実施形態の商品陳列具Ａは、支持脚を有さない。
さらに、本体１には、連結手段を介して、複数の本体を連結するための被連結部１３，１３が設けられている。図示例では、支柱１１の上下端部に、支柱を貫通する貫通孔が被連結部１３として形成されている。
また、本実施形態の商品陳列具Ａは、図１５に示すように、複数の陳列アタッチメント２を具備する。
【００３３】
本実施形態の商品陳列具Ａは、それ自身を立て掛けて自立させてもよいし、壁に木ねじなどで着脱可能に取り付けてもよい。図示例では、商品陳列具Ａは、第２実施形態で示したような、ハンガー４を用いて吊り下げられている。
この商品陳列具Ａは、複数の被掛止部１２及び陳列アタッチメント２を具備するので、例えば、１つの陳列アタッチメント２を最下段の被掛止部１２に掛止し、他の陳列アタッチメント２を他の被掛止部１２に掛止して使用できる。陳列アタッチメント２の掛止位置は、適宜設計できる。例えば、下方の陳列アタッチメント２に載せた商品が、上方の陳列アタッチメント２に接触しないような位置に、複数の陳列アタッチメント２を掛止する。なお、鞄などの商品が比較的小さい場合には、全ての被掛止部１２のそれぞれに陳列アタッチメント２を取り付けて使用することもできる。
また、商品陳列具Ａを吊り下げた場合には、図１６に示すように、本体１の前方側及び後方側から陳列アタッチメント２がそれぞれ突出するように、被掛止部１２を陳列アタッチメント２に掛止することもできる。
【００３４】
さらに、上記のように被連結部１３が設けられている場合には、複数の本体１を準備し、隣接する本体１の被連結部１３を連結手段にて連結することもできる。
図１７及び図１８は、２つの本体１（商品陳列具Ａ）を連結手段にて繋ぎ合わせたものであって、図１７は、陳列アタッチメント２を本体１の前方側にのみ取り付けた場合を示し、図１８は、陳列アタッチメント２を本体１の前方側及び後方側に取り付けた場合を示す。
連結手段は、２つの本体１を着脱自在に連結できるものであれば特に限定されず、図示例では、連結手段として、線材を略Ｃ字状に折り曲げた切欠きリング９が用いられている。前記切欠きリング９の一方端部を上方の商品陳列具Ａ１の下方の被連結部１３に嵌め、且つ、切欠きリング９の他方端部を下方の商品陳列具Ａ２の上方の被連結部１３に嵌め入れることにより、２つの商品陳列具Ａ１，Ａ２を連結できる。
【符号の説明】
【００３５】
Ａ…商品陳列具、１…本体、１１…支柱、１２…被掛止部、２…陳列アタッチメント、２１…掛止部、２１ａ…前止め部、２１ｂ…後止め部、２１ｃ…接続部、２２…陳列部、３…支持脚、３２…脚陳列部、４…ハンガー、４１…フック部、４２…取付部
【図１】
0003188943.tif 000003
【図２】
0003188943.tif 000004
【図３】
0003188943.tif 000005
【図４】
0003188943.tif 000006
【図５】
0003188943.tif 000007
【図６】
0003188943.tif 000008
【図７】
0003188943.tif 000009
【図８】
0003188943.tif 000010
【図９】
0003188943.tif 000011
【図１０】
0003188943.tif 000012
【図１１】
0003188943.tif 000013
【図１２】
0003188943.tif 000014
【図１３】
0003188943.tif 000015
【図１４】
0003188943.tif 000016
【図１５】
0003188943.tif 000017
【図１６】
0003188943.tif 000018
【図１７】
0003188943.tif 000019
【図１８】
0003188943.tif 000020